(57)【要約】【課題】本発明は、電子タグ装置、電子棚札システム、及び電子タグ装置の画面リフレッシュ方法に関する。【解決手段】本発明による電子タグ装置は、予め設定された通信規約に準拠した無線通信を行う無線通信部と、上記無線通信部を通じて複数の中継器及びサーバーとの通信を制御し、受信した信号に含まれたデータの画面出力を制御する制御部と、上記制御部に応じて上記データを保存するメモリと、上記制御部の制御に応じて上記データを画面出力するディスプレイ部と、上記制御部の制御に応じて動作電源を供給する電源部と、を含み、上記制御部は、予め設定された画面リフレッシュ条件が満たされると、上記ディスプレイ部をリフレッシュさせることができる。【選択図】図２
2014079563.tif 000002
【特許請求の範囲】
【請求項１】
予め設定された通信規約に準拠した無線通信を行う無線通信部と、
前記無線通信部を通じて複数の中継器及びサーバーとの通信を制御し、受信した信号に含まれたデータの画面出力を制御する制御部と、
前記制御部に応じて前記データを保存するメモリと、
前記制御部の制御に応じて前記データを画面出力するディスプレイ部と、
前記制御部の制御に応じて動作電源を供給する電源部と、を含み、
前記制御部は、予め設定された画面リフレッシュ条件が満たされると、前記ディスプレイ部をリフレッシュさせる、電子タグ装置。
【請求項２】
前記制御部は、
前記画面リフレッシュ条件としてデータ更新信号の有無を予め設定された基準時間の経過時まで判断し、前記データ更新信号がない場合、画面リフレッシュ信号を生成する画面リフレッシュ処理部と、
前記画面リフレッシュ信号に応じて前記ディスプレイ部をリフレッシュさせるディスプレイ駆動部と、を含む、請求項１に記載の電子タグ装置。
【請求項３】
前記画面リフレッシュ処理部は、
前記データ更新信号がある場合には予め設定された経過時間を初期化し、前記データ更新信号がない場合には前記経過時間を係数して、前記経過時間が前記基準時間を超過すると、前記画面リフレッシュ信号を生成する、請求項２に記載の電子タグ装置。
【請求項４】
前記制御部は、
前記画面リフレッシュ条件として前記サーバーから画面リフレッシュ命令信号の受信有無を判断して、受信があると、前記画面リフレッシュ信号を生成する画面リフレッシュ処理部と、
前記画面リフレッシュ信号に応じて前記ディスプレイ部をリフレッシュさせるディスプレイ駆動部と、を含む、請求項２に記載の電子タグ装置。
【請求項５】
複数の電子タグ装置と、
属したネットワーク内の前記複数の電子タグ装置それぞれに対するデータ更新が予め設定された基準時間の経過時までないと、該当する電子タグ装置に画面リフレッシュ命令信号を送信するサーバーと、
前記サーバーからの信号を該当する電子タグ装置に無線送信する中継器と、を含み、
前記複数の電子タグ装置それぞれは、予め設定された画面リフレッシュ条件が満たされると、画面リフレッシュを行う、電子棚札システム。
【請求項６】
前記複数の電子タグ装置それぞれは、
予め設定された通信規約に準拠した無線通信を行う無線通信部と、
前記無線通信部を通じて複数の中継器及びサーバーとの通信を制御し、受信した信号に含まれるデータの画面出力、データ更新及び画面リフレッシュを制御する制御部と、
前記制御部に応じて前記データを保存するメモリと、
前記制御部の制御に応じてデータの画面出力、データ更新及び画面リフレッシュを行うディスプレイ部と、
前記制御部の制御に応じて動作電源を供給する電源部と、を含み、
前記制御部は、前記画面リフレッシュ条件が満たされると、前記ディスプレイ部をリフレッシュさせる、請求項５に記載の電子棚札システム。
【請求項７】
前記制御部は、
前記画面リフレッシュ条件として前記サーバーから画面リフレッシュ命令信号の受信有無を判断して、受信があると、画面リフレッシュ信号を生成する画面リフレッシュ処理部と、
前記画面リフレッシュ信号に応じて前記ディスプレイ部をリフレッシュさせるディスプレイ駆動部と、を含む、請求項６に記載の電子棚札システム。
【請求項８】
電子棚札システムに備えられ、ディスプレイ部を有する電子タグ装置の画面リフレッシュ方法であって、
予め設定された画面リフレッシュ条件を満たすと、画面リフレッシュ信号を生成する段階と、
前記画面リフレッシュ信号の生成有無を判断して、前記画面リフレッシュ信号が生成されなかった場合には前記画面リフレッシュ条件を判断する動作を行う段階に進む段階と、
前記画面リフレッシュ信号が生成された場合には画面リフレッシュ動作を行う段階と、を含む、電子タグ装置の画面リフレッシュ方法。
【請求項９】
前記リフレッシュ信号を生成する段階は、
データ更新信号がある場合には予め設定された経過時間を初期化し、前記データ更新信号がない場合には前記経過時間を係数して、前記経過時間が予め設定された基準時間を超過すると、前記画面リフレッシュ信号を生成する、請求項８に記載の電子タグ装置の画面リフレッシュ方法。
【請求項１０】
前記リフレッシュ信号を生成する段階は、
前記画面リフレッシュ条件としてサーバーから画面リフレッシュ命令信号の受信有無を判断して、受信があると、前記画面リフレッシュ信号を生成する、請求項８に記載の電子タグ装置の画面リフレッシュ方法。
【発明の詳細な説明】
【技術分野】
【０００１】
本発明は、電子タグ装置、電子棚札システム、及び電子タグ装置の画面リフレッシュ方法に関する。
【背景技術】
【０００２】
一般に、電子棚札（ＥＳＬ：Ｅｌｅｃｔｒｏｎ  Ｓｈｅｌｆ  Ｌａｂｅｌ）システムは、商品が陳列される場所に設けられ、商品情報を自動化するシステムである。このような電子棚札システムでは、数千個のタグ（ＴＡＧ）（価格表示端末）が無線ネットワークを構成して中央集中型中継器（ＧＷ、Ｇａｔｅｗａｙ）と無線通信を行う。
【０００３】
通常、電子棚札システムは複雑なネットワークデバイス（Ｓｅｒｖｅｒ、Ｇａｔｅｗａｙ、ＴＡＧ）で構成されており、システムフィールドに多数の上位サーバー（Ｓｅｒｖｅｒ）システムで構成される場合、下位ネットワークデバイスであるタグは個別サーバーとの連結を必要とする。即ち、下位ネットワーク網である中継器とタグとの間にＰＡＮ（Ｐｅｒｓｏｎａｌ  Ａｒｅａ  Ｎｅｔｗｏｒｋ）連結が必要である。
【０００４】
従来の電子タグは商品に関する情報を画面に出力するためのディスプレイを含んでいる。上記電子タグのディスプレイとしては、電気泳動型ディスプレイ（ＥｌｅｃｔｒｏＰｈｏｒｅｔｉｃ  Ｄｉｓｐｌａｙ、ＥＰＤ）がある。
【０００５】
このような電気泳動型ディスプレイは、従来のＴＮ（Ｔｗｉｓｔｅｄ  Ｎｅｍａｔｉｃ）−ＬＣＤに比べて明暗比が相対的に高いという長所がある。
【０００６】
しかし、従来の電子タグに適用される電気泳動型ディスプレイは、外部の電場によって双極子球体の配列が変更される構造であるため、特定の配列状態において長時間経過すると、その双極子球体の配列が崩れるようになってディスプレイの明暗比が減少するという問題点がある。
【０００７】
下記先行技術文献に記載された特許文献１は、ＲＦＩＤタグ及びその駆動方法に関するもので、予め設定された時間の間にデータ更新がない場合、ディスプレイを周期的にリフレッシュする技術的事項は開示していない。
【先行技術文献】
【特許文献】
【０００８】
【特許文献１】韓国公開特許公報第１０−２００７−００８０７３９号
【発明の概要】
【発明が解決しようとする課題】
【０００９】
本発明の課題は上記従来技術の問題点を解決するためのもので、本発明は、予め設定された時間の間にデータ更新がない場合、ディスプレイを周期的にリフレッシュする電子タグ装置、電子棚札システム、及び電子タグ装置の画面リフレッシュ方法を提供することをその目的とする。
【課題を解決するための手段】
【００１０】
本発明の課題を解決するための本発明の第１技術的な側面として、本発明によると、予め設定された通信規約に準拠した無線通信を行う無線通信部と、上記無線通信部を通じて複数の中継器及びサーバーとの通信を制御し、受信した信号に含まれたデータの画面出力を制御する制御部と、上記制御部に応じて上記データを保存するメモリと、上記制御部の制御に応じて上記データを画面出力するディスプレイ部と、上記制御部の制御に応じて動作電源を供給する電源部と、を含み、上記制御部は、予め設定された画面リフレッシュ条件が満たされると、上記ディスプレイ部をリフレッシュさせる電子タグ装置を提案する。
【００１１】
本発明の第１技術的な側面において、上記制御部は、上記画面リフレッシュ条件として上記データ更新信号の有無を予め設定された基準時間の経過時まで判断し、上記データ更新信号がない場合、上記画面リフレッシュ信号を生成する画面リフレッシュ処理部と、上記画面リフレッシュ信号に応じて上記ディスプレイ部をリフレッシュさせるディスプレイ駆動部と、を含むことができる。
【００１２】
上記画面リフレッシュ処理部は、上記データ更新信号がある場合には予め設定された経過時間を初期化し、上記データ更新信号がない場合には上記経過時間を係数して、上記経過時間が上記基準時間を超過すると、上記画面リフレッシュ信号を生成することができる。
【００１３】
上記制御部は、上記画面リフレッシュ条件として上記サーバーから画面リフレッシュ命令信号の受信有無を判断して、受信があると、上記画面リフレッシュ信号を生成する画面リフレッシュ処理部と、上記画面リフレッシュ信号に応じて上記ディスプレイ部をリフレッシュさせるディスプレイ駆動部と、を含むことができる。
【００１４】
また、本発明の課題を解決するための本発明の第２技術的な側面として、本発明によると、複数の電子タグ装置と、属したネットワーク内の上記複数の電子タグ装置それぞれに対するデータ更新が予め設定された基準時間の経過時までないと、該当する電子タグ装置に画面リフレッシュ命令信号を送信するサーバーと、上記サーバーからの信号を該当する電子タグ装置に無線送信する中継器と、を含み、上記複数の電子タグ装置それぞれは、予め設定された画面リフレッシュ条件が満たされると、画面リフレッシュを行う電子棚札システムを提案する。
【００１５】
本発明の第２技術的な側面において、上記複数の電子タグ装置それぞれは、予め設定された通信規約に準拠した無線通信を行う無線通信部と、上記無線通信部を通じて複数の中継器及びサーバーとの通信を制御し、受信した信号に含まれるデータの画面出力、データ更新及び画面リフレッシュを制御する制御部と、上記制御部に応じて上記データを保存するメモリと、上記制御部の制御に応じてデータの画面出力、データ更新及び画面リフレッシュを行うディスプレイ部と、上記制御部の制御に応じて動作電源を供給する電源部と、を含み、上記制御部は、上記画面リフレッシュ条件が満たされると、上記ディスプレイ部をリフレッシュさせることができる。
【００１６】
上記制御部は、上記画面リフレッシュ条件として上記サーバーから画面リフレッシュ命令信号の受信有無を判断して、受信があると、上記画面リフレッシュ信号を生成する画面リフレッシュ処理部と、上記画面リフレッシュ信号に応じて上記ディスプレイ部をリフレッシュさせるディスプレイ駆動部と、を含むことができる。
【００１７】
また、本発明の課題を解決するための本発明の第３技術的な側面として、本発明によると、電子棚札システムに備えられ、ディスプレイ部を有する電子タグ装置の画面リフレッシュ方法で、予め設定された画面リフレッシュ条件を満たすと、画面リフレッシュ信号を生成する段階と、上記画面リフレッシュ信号の生成有無を判断して、上記画面リフレッシュ信号が生成されなかった場合には上記画面リフレッシュ条件を判断する動作を行う段階に進む段階と、上記画面リフレッシュ信号が生成された場合には画面リフレッシュ動作を行う段階と、を含む電子タグ装置の画面リフレッシュ方法を提案する。
【００１８】
本発明の第３技術的な側面において、上記リフレッシュ信号を生成する段階は、上記データ更新信号がある場合には予め設定された経過時間を初期化し、上記データ更新信号がない場合には上記経過時間を係数して、上記経過時間が上記基準時間を超過すると、上記画面リフレッシュ信号を生成することができる。
【００１９】
上記リフレッシュ信号を生成する段階は、上記画面リフレッシュ条件として上記サーバーから画面リフレッシュ命令信号の受信有無を判断して、受信があると、上記画面リフレッシュ信号を生成することができる。
【発明の効果】
【００２０】
本発明によると、予め設定された時間の間にデータ更新がない場合、ディスプレイを周期的にリフレッシュさせることにより、電子タグ装置のディスプレイの明暗比を一定水準以上に維持させることができる。
【図面の簡単な説明】
【００２１】
【図１】本発明の実施例による電子棚札システムの概略構成図である。
【図２】本発明の実施例による電子棚札システムの電子タグ装置のブロック図である。
【図３】本発明の実施例による制御部のブロック図である。
【図４】本発明の実施例によるディスプレイ部の一適用例の構造概念図である。
【図５】本発明の実施例によるディスプレイの明暗比の推移図である。
【図６】本発明の実施例による電子タグ装置の画面リフレッシュ方法を示すフローチャートである。
【図７】本発明の実施例による画面リフレッシュ信号生成動作の第１具現例示図である。
【図８】本発明の実施例による画面リフレッシュ信号生成動作の第２具現例示図である。
【図９】本発明の実施例による画面リフレッシュによる明暗比の推移図である。
【図１０】本発明の実施例による画面リフレッシュ明暗比の上昇例示図である。
【図１１】本発明の実施例による画面リフレッシュ及びデータ更新による明暗比の推移図である。
【図１２】本発明の実施例による電子棚札システムの電子タグ装置毎のデータ更新及びリフレッシュの制御概念図である。
【発明を実施するための形態】
【００２２】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。なお、図面における要素の形状及び大きさなどはより明確な説明のために誇張されることがある。
【００２３】
図１は本発明の実施例による電子棚札システムの概略構成図である。
【００２４】
図１を参照すると、本発明の実施例による電子棚札システムは、サーバー１０と、中継器２０と、電子タグ装置１００と、からなることができる。
【００２５】
図２は本発明の実施例による電子棚札システムの電子タグ装置のブロック図である。
【００２６】
図２を参照すると、本発明の実施例による電子棚札システムの電子タグ装置は、予め設定された通信規約に準拠した無線通信を行う無線通信部１１０と、上記無線通信部１１０を通じて複数の中継器及びサーバーとの通信を制御し、受信した信号に含まれたデータの画面出力を制御する制御部１２０と、上記制御部１２０に応じて上記データを保存するメモリ１３０と、上記制御部１２０の制御に応じて上記データを画面出力するディスプレイ部１４０と、上記制御部１２０の制御に応じて動作電源を供給する電源部１５０と、を含み、上記制御部１２０は、予め設定された画面リフレッシュ条件が満たされると、上記ディスプレイ部１４０をリフレッシュさせることができる。
【００２７】
一方、図１から図３を参照すると、本発明の実施例による電子棚札システムは、複数の電子タグ装置１００と、属したネットワーク内の上記複数の電子タグ装置１００それぞれに対するデータ更新が予め設定された基準時間（ＴＳ）の経過時までないと、該当する電子タグ装置に画面リフレッシュ命令信号を送信するサーバー１０と、上記サーバー１０からの信号を該当する電子タグ装置に無線送信する中継器２０と、を含み、上記複数の電子タグ装置それぞれは、予め設定された画面リフレッシュ条件が満たされると、画面リフレッシュを行うことができる。
【００２８】
図１に示された電子棚札システムにおいて、上記サーバー１０は、属したネットワーク内の上記複数の電子タグ装置１００それぞれに対するデータ更新が予め設定された基準時間（ＴＳ）の経過時までないと、該当する電子タグ装置に画面リフレッシュ命令信号を送信することができる。
【００２９】
上記中継器２０は、上記サーバー１０からの信号を該当する電子タグ装置に無線送信することができる。
【００３０】
また、上記複数の電子タグ装置それぞれは、予め設定された画面リフレッシュ条件が満たされると、画面リフレッシュを行うことができる。
【００３１】
図１に示された電子タグ装置において、上記無線通信部１１０は、複数の中継器及びサーバーと予め設定された通信規約に準拠した無線通信を行うことができる。
【００３２】
上記制御部１２０は、上記無線通信部１１０を通じて複数の中継器及びサーバーとの通信を制御し、受信した信号に含まれたデータの画面出力を制御することができる。
【００３３】
上記メモリ１３０は、上記制御部１２０に応じて上記データを保存することができる。ここで、上記データには、商品名、製造社、製造日付、流通期間等の商品情報、更新情報、リフレッシュ情報が含まれることができる。
【００３４】
上記ディスプレイ部１４０は、上記制御部１２０の制御に応じて上記データを画面出力することができる。このとき、上記ディスプレイ部１４０としては、電気泳動型ディスプレイが適用されることができる。
【００３５】
また、上記電源部１５０は、上記制御部１２０の制御に応じて動作電源を供給することができ、例えば、上記無線通信部１１０、制御部１２０、メモリ１３０、ディスプレイ部１４０それぞれが必要とする電源を供給することができる。
【００３６】
特に、上記制御部１２０は、予め設定された画面リフレッシュ条件が満たされると、上記ディスプレイ部１４０をリフレッシュさせることができる。
【００３７】
一方、本発明の各実施例に適用される画面リフレッシュ条件としては、セルフリフレッシュ条件と外部リフレッシュ条件が挙げられる。
【００３８】
まず、セルフリフレッシュ条件は、電子タグ装置が自体的にリフレッシュを行うことであって、この条件は上記データ更新信号の有無を予め設定された基準時間（ＴＳ）の経過時まで判断する。
【００３９】
次に、外部命令リフレッシュ条件はサーバーで複数の電子タグ装置をモニタリングしてリフレッシュが必要な電子タグ装置に対してリフレッシュ命令信号を送信することで、この条件は上記サーバーから画面リフレッシュ命令信号の受信有無を判断する。
【００４０】
図３は本発明の実施例による制御部のブロック図である。
【００４１】
図３を参照して、セルフリフレッシュ条件に係わって上記制御部１２０について説明する。
【００４２】
上記制御部１２０は、上記画面リフレッシュ条件として上記データ更新信号の有無を予め設定された基準時間（ＴＳ）の経過時まで判断し、上記データ更新信号がない場合、上記画面リフレッシュ信号を生成する画面リフレッシュ処理部１２２と、上記画面リフレッシュ信号に応じて上記ディスプレイ部１４０をリフレッシュさせるディスプレイ駆動部１２４と、を含むことができる。
【００４３】
図３に示された制御部１２０において、上記画面リフレッシュ処理部１２２は、上記画面リフレッシュ条件として上記データ更新信号の有無を予め設定された基準時間（ＴＳ）の経過時まで判断し、上記データ更新信号がない場合、上記画面リフレッシュ信号を生成することができる。例えば、上記画面リフレッシュ処理部１２０は、上記データ更新信号がある場合には予め設定された経過時間（ＴＣ）を初期化し、上記データ更新信号がない場合には上記経過時間（ＴＣ）を係数して、上記経過時間（ＴＣ）が上記基準時間（ＴＳ）を超過すると、上記画面リフレッシュ信号を生成することができる。
【００４４】
また、上記ディスプレイ駆動部１２４は、上記画面リフレッシュ信号に応じて上記ディスプレイ部１４０をリフレッシュさせることができる。
【００４５】
また、図３を参照して、外部命令リフレッシュ条件に係わって上記制御部１２０について説明する。
【００４６】
上記制御部１２０は、上記画面リフレッシュ条件として上記データ更新信号の有無を予め設定された基準時間（ＴＳ）の経過時まで判断し、上記データ更新信号がない場合、上記画面リフレッシュ信号を生成する画面リフレッシュ処理部１２２と、上記画面リフレッシュ信号に応じて上記ディスプレイ部１４０をリフレッシュさせるディスプレイ駆動部１２４と、を含むことができる。
【００４７】
図３に示された制御部１２０において、上記画面リフレッシュ処理部１２２は、上記画面リフレッシュ条件として上記データ更新信号の有無を予め設定された基準時間（ＴＳ）の経過時まで判断し、上記データ更新信号がない場合、上記画面リフレッシュ信号を生成することができる。
【００４８】
また、上記ディスプレイ駆動部１２４は、上記画面リフレッシュ信号に応じて上記ディスプレイ部１４０をリフレッシュさせることができる。
【００４９】
図４は本発明の実施例によるディスプレイ部の一適用例の構造概念図である。
【００５０】
図４を参照すると、上記ディスプレイ部１４０が電気泳動型ディスプレイに適用される場合、上記電気泳動型ディスプレイは、下部シート１４１と、上部シート１４２と、上記上部シート１４２と下部シート１４１との間で正（＋）極及び負（−）極を有する双極子球体と、からなる。上記双極子球体は、白色の一面と黒色の他面からなり、外部電場によって上記双極子球体が回転して上記双極子球体の白色の一面または黒色の他面が外部に露出する。
【００５１】
上記電気泳動ディスプレイは、上記の通り、外部電場によって内部双極子球体の位置を変更及び固定させる構造であるため、ある状態において長時間経過すると、その双極子球体の配列が崩れるようになって、その結果、明暗比が減少する。
【００５２】
このようなディスプレイ部の明暗比の減少を防止するために、上記基準時間（ＴＳ）間隔で画面をリフレッシュさせる動作が必要である。
【００５３】
図５は本発明の実施例によるディスプレイの明暗比の推移図である。
【００５４】
図５に示された初期明暗比（ＣＲ  ｉｎｉｔ）は電子タグ装置が画面を変更した直後の明暗比（Ｃｏｎｔｒａｓｔ  Ｒａｔｉｏ）から時間が経過するにつれて示される推移グラフである。
【００５５】
図５において、電子タグ装置の使用上特性により、長くは数ヶ月または数年間にわたって価格変動がない商品に割り当られた電子タグ装置は、その画面を長時間変更しないため、この電子タグ装置の明暗比は画面変更後から時間が経過するにつれて次第に減少する。
【００５６】
上記理由から、電子タグ装置の画面状態を適正水準以上の明暗比に維持するためには、一定時間間隔で画面リフレッシュ（Ｒｅｆｌａｓｈ）を行う必要がある。
【００５７】
図６は本発明の実施例による電子タグ装置の画面リフレッシュ方法を示すフローチャートである。
【００５８】
図６を参照すると、本発明の実施例による電子タグ装置の画面リフレッシュ方法は、電子棚札システムに備えられ、ディスプレイ部を有する電子タグ装置の画面リフレッシュ方法であって、予め設定された画面リフレッシュ条件を満たすと、画面リフレッシュ信号を生成する段階（Ｓ１００）と、上記画面リフレッシュ信号の生成有無を判断し、上記画面リフレッシュ信号が生成されなかった場合には上記画面リフレッシュ条件を判断する動作を行う段階に進む段階（Ｓ２００）と、上記画面リフレッシュ信号が生成された場合には画面リフレッシュ動作を行う段階（Ｓ３００）と、を含むことができる。
【００５９】
図６に示された電子タグ装置の画面リフレッシュ方法において、段階（Ｓ１００）では、予め設定された画面リフレッシュ条件を満たすと、画面リフレッシュ信号を生成することができる。
【００６０】
次に、段階（Ｓ２００）では、上記画面リフレッシュ信号の生成有無を判断し、上記画面リフレッシュ信号が生成されなかった場合には上記画面リフレッシュ条件を判断する動作を行う段階に進む。
【００６１】
また、段階（Ｓ３００）では、上記画面リフレッシュ信号が生成された場合には画面リフレッシュ動作を行う。
【００６２】
図７は本発明の実施例による画面リフレッシュ信号生成動作の第１具現例示図である。
【００６３】
図７を参照すると、上記リフレッシュ信号を生成する段階（Ｓ１００）は、上記データ更新信号がある場合には（Ｓ１３０）予め設定された経過時間（ＴＣ）を初期化し（Ｓ１１０）、上記データ更新信号がない場合には（Ｓ１３０）上記経過時間（ＴＣ）を係数して（Ｓ１２０）、上記経過時間（ＴＣ）が上記基準時間（ＴＳ）を超過すると（Ｓ１４０）、上記画面リフレッシュ信号を生成（Ｓ１８０）するように行われることができる。
【００６４】
図７に示された上記リフレッシュ信号を生成する段階（Ｓ１００）において、上記データ更新信号がある場合には（Ｓ１３０）予め設定された経過時間（ＴＣ）を初期化し、上記データ更新信号がない場合には上記経過時間（ＴＣ）を係数して、上記経過時間（ＴＣ）が上記基準時間（ＴＳ）を超過すると（Ｓ１４０）上記画面リフレッシュ信号を生成することができる（Ｓ１８０）。
【００６５】
図８は本発明の実施例による画面リフレッシュ信号生成動作の第２具現例示図である。
【００６６】
図８を参照すると、上記リフレッシュ信号を生成する段階（Ｓ１００）は、上記画面リフレッシュ条件として上記サーバーから画面リフレッシュ命令信号の受信有無を判断して、受信があると（Ｓ１５０、Ｓ１６０）、上記画面リフレッシュ信号を生成（Ｓ１８０）するように行われることができる。
【００６７】
図８に示された上記リフレッシュ信号を生成する段階（Ｓ１００）において、上記画面リフレッシュ条件として上記サーバーから画面リフレッシュ命令信号の受信有無を判断して、受信があると（Ｓ１５０、Ｓ１６０）、上記画面リフレッシュ信号を生成することができる（Ｓ１８０）。
【００６８】
図９は本発明の実施例による画面リフレッシュによる明暗比の推移図である。図９を参照すると、上記の通り、本発明の実施例において、上記データ更新信号がない場合には上記基準時間（ＴＳ）毎に画面リフレッシュが行われることができ、このような画面リフレッシュにより、明暗比が明暗比リフレッシュ基準以上に維持されることが分かる。
【００６９】
図１０は本発明の実施例による画面リフレッシュ明暗比の上昇例示図である。図１０を参照すると、電子タグ装置の画面明暗比が時間の経過につれて減少する経時変化現象に対して最終画面を再度ディスプレイするリフレッシュを行うことにより、画面の明暗比をさらに上昇させることができる。
【００７０】
図１１は本発明の実施例による画面リフレッシュ及びデータ更新による明暗比の推移図である。
【００７１】
図１１を参照すると、画面リフレッシュを行った後、データ更新信号がある場合にはこの時点からさらに経過時間（ＴＳ）を係数する。
【００７２】
図１２は本発明の実施例による電子棚札システムの電子タグ装置毎のデータ更新及びリフレッシュ制御の概念図である。
【００７３】
図１２を参照すると、本発明の実施例による電子棚札システムのサーバー１０は、上記複数の電子タグ装置１００（ＴＡＧ１、ＴＡＧ２、ＴＡＧ３、ＴＡＧ４、ＴＡＧ５、ＴＡＧ６、ＴＡＧ７、ＴＡＧ８、…）それぞれに対するデータ更新が予め設定された基準時間（ＴＳ）の経過時までないと、該当する電子タグ装置に画面リフレッシュ命令信号を送信することができる。
【００７４】
例えば、図１２に示されているように、ＴＡＧ５及びＴＡＧ７が、データ更新が予め設定された基準時間（ＴＳ）の経過時までないと判断されると、ＴＡＧ５及びＴＡＧ７に画面リフレッシュ命令信号を送信することができる。
【符号の説明】
【００７５】
１０  サーバー
２０  中継器
１００  電子タグ装置
１１０  無線通信部
１２０  制御部
１２２  画面リフレッシュ処理部
１２４  ディスプレイ駆動部
１３０  メモリ
１４０  ディスプレイ部
１５０  電源部
【図１】
2014079563.tif 000003
【図２】
2014079563.tif 000004
【図３】
2014079563.tif 000005
【図４】
2014079563.tif 000006
【図５】
2014079563.tif 000007
【図６】
2014079563.tif 000008
【図７】
2014079563.tif 000009
【図８】
2014079563.tif 000010
【図９】
2014079563.tif 000011
【図１０】
2014079563.tif 000012
【図１１】
2014079563.tif 000013
【図１２】
2014079563.tif 000014